(57)【要約】【課題】隠蔽情報を視認後、不要となった隠蔽情報所持体を廃棄する際に、簡単な作業で表示されている隠蔽情報を他人に見られない状態にできる隠蔽情報所持体を提供する。【解決手段】隠蔽情報所持体である口座通知葉書の重ね合わせ面に表示する隠蔽情報である通知情報１８と領収情報１９を、加熱すると消色するインキで表示し、この通知情報１８と領収情報１９を表示した重ね合わせ面は、通常では接着せず所定の圧を加えると接着し、接着後に剥離可能で、剥離後には再接着不可能な感圧性接着剤１２で剥離可能に接着する。【選択図】      図３
2004284212.tif 000002
【特許請求の範囲】
【請求項１】
複数枚の紙片を重ね合わせ、少なくとも一対の重ね合わせ面には、加熱すると消色するインキで隠蔽情報を表示し、この隠蔽情報を表示した重ね合わせ面は、通常では接着せず所定の圧を加えると接着し、接着後に剥離可能で、剥離後には再接着困難な感圧性接着剤で剥離可能に接着してなることを特徴とする隠蔽情報所持体。
【発明の詳細な説明】
【０００１】
【発明の属する技術分野】
本発明は、剥離可能で、かつ、剥離後には再接着不可能に接着した重ね合わせ面に、他人には知られたくない隠蔽情報を表示してなる、葉書、各種カードなどの隠蔽情報所持体に関し、特に、隠蔽情報を視認後に消去することのできる隠蔽情報所持体に関する。
【０００２】
【従来の技術】
従来から、各種の隠蔽情報所持体は知られているが、一旦重ね合わせ面を剥離して隠蔽情報を視認した後は、隠蔽情報を改竄して原状態に復帰できないように、この重ね合わせ面を再接着できないよう構成しているのが一般的である（例えば、特許文献１，２参照）。
【０００３】
【特許文献１】
実用新案登録第２５９０９３５号公報
【特許文献２】
実用新案登録第２５９８８２８号公報
【０００４】
【発明が解決しようとする課題】
このため従来にあっては、隠蔽情報視認後に不要となった隠蔽情報所持体を廃棄する際に、表示されている隠蔽情報を他人に見られないようにするためには、隠蔽情報所持体を細かく裁断するなどして、隠蔽情報所持体自体を破壊する必要があった。したがって、一般家庭では、この隠蔽情報所持体自体の細かい裁断をハサミなどを使用して行わなければならず、極めて煩雑であるという不都合がある。本発明はこのような従来の不都合を解消した隠蔽情報所持体を提供することを目的とする。
【０００５】
【課題を解決するための手段】
上述した目的を達成するために、本発明の請求項１に記載した隠蔽情報所持体は、複数枚の紙片を重ね合わせ、少なくとも一対の重ね合わせ面には、加熱すると消色するインキで隠蔽情報を表示し、この隠蔽情報を表示した重ね合わせ面は、通常では接着せず所定の圧を加えると接着し、接着後に剥離可能で、剥離後には再接着困難な感圧性接着剤で剥離可能に接着してなるものである。
【０００６】
このように、加熱すると消色するインキで隠蔽情報を表示したので、隠蔽情報表示面を加熱して隠蔽情報を消去することができる。
【０００７】
【発明の実施形態】
以下、本発明を領収証を備えた口座振替通知葉書に適用した場合の好適な実施形態について、添付図面に基づき詳細に説明する。ここにおいて、図１は連続状態にある口座振替通知葉書用紙の表面側の概略的な平面図、図２は同じく裏面側の概略的な平面図、図３は重ね合わせ状態の概略的な断面図、図４は作成した口座振替通知葉書の宛名面側の概略的な斜視図、図５は重ね合わせ面を剥離した口座振替通知葉書の概略的な斜視図、図６は重ね合わせ面に表示した隠蔽情報を消去した見開き状態の口座振替通知葉書の概略的な平面図である。
【０００８】
まず、口座振替通知葉書とするための口座振替通知葉書用紙について説明する。図１及び図２に示すように、口座振替通知葉書３１（図４参照）を作成するための口座振替通知葉書用紙１は、折り用ミシン目２，３を境として、幅方向が葉書大より小さい左紙片４と、幅方向が葉書大よりも若干大きい中紙片５及び右紙片６を連接してなる。また、前記右紙片６の前記折り用ミシン目３とは反対側の側端部には切り用ミシン目７を境にして等間隔に移送孔８を穿設したマージナル部９を設けている。そして、この口座振替通知葉書用紙１は、単位用紙１０がマージナル部９の延びる方向に切り用ミシン目１１を介して多数連接された連続状態にある。
【０００９】
図３で理解できるように、口座振替通知葉書用紙１の表裏面（なお、本明細書では、マージナル部９が右側に位置した図１状態を表面側、左側に位置した図２状態を裏面側という）には、全面的に、通常では接着せず所定の圧を加えると接着可能となり、接着後に剥離可能で、剥離後には再接着困難であり、かつ、印字あるいは印刷が可能な感圧性接着剤１２を塗布している。この感圧性接着剤１２としては、印字、印刷が可能であり、感圧性で一旦接着すると再剥離不能な非剥離性の接着剤基剤に、この接着剤基剤に対して非親和性を示す微粒状充てん剤を配合してなるものが好適である。
【００１０】
前記接着剤基剤としては、従来用いられている通常の感圧性接着剤でよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。
【００１１】
一方、微粒状充てん剤としては、接着剤基剤との親和力が小さいもの、例えば、酸化亜鉛、酸化チタン、炭酸カルシウム、カオリン、活性白土、球状アルミナ、小麦デンプン、シリカ、ガラス粉末、シラスバルーン等が用いられる。これらの材料は、単独でも、複数組み合わせてもよいが、特に、シリカと他の適宜な充てん剤との組み合わせが好適である。また、粒径の異なる２種類以上を組み合わせると、接着剤塗布面を凹凸状に形成しやすいので、剥離性能が向上する。シリカを添加すると、接着剤の塗膜を強化しうるとともに、その多孔質性により、接着剤が表面に付着しやすいので、接着力や剥離力を調整しやすいという利点がある。
【００１２】
上述した微粒状充てん剤の配合割合によって、感圧性接着剤１２による接着面の剥離強度を調整する。また、微粒状充てん剤の配合割合による調整に加えて、感圧性接着剤１２を網点状に塗布したり、塗布厚を調整したり、あるいは地紋印刷を施して調整を行うと、剥離強度の調整はより容易となる。感圧性接着剤１２の具体例としては、天然ゴム１００重量部に対し、スチレン２重量部とメタクリル酸１０重量部とをグラフト共重合させて得られた天然ゴムラテックスに、テルペン樹脂系粘着付与剤５重量部に対し、平均粒径５μｍのシリカゲル２０重量部を添加したものを加えてなるものが好適である。
【００１３】
そして、図１に示すように、左紙片４の表面側は宛名情報１３をあらかじめ印字した折り重ねた時の表出面であり、中紙片５と右紙片６の表面側は互いに折り重ねられる一対の重ね合わせ面で、各種の案内情報１４，１５をあらかじめ印刷している。また、前記左紙片４の表面側には、剥離端となる折り用ミシン目２とは反対側端部に、矢印と「ここからゆっくりはがして下さい」という文からなる剥離開始端指示表示１６をあらかじめ印刷している。
【００１４】
一方、図２に示すように、右紙片６の裏面側は差出人情報１７をあらかじめ印刷した折り重ねた時の表出面である。また、左紙片４と中紙片５の裏面側は互いに折り重ねられる一対の重ね合わせ面で、左紙片４の重ね合わせ面には隠蔽情報である次回口座振替の通知情報１８をあらかじめ印字し、中紙片５の重ね合わせ面は領収証となって、隠蔽情報である口座振替日及び領収金額からなる領収情報１９をあらかじめ印字している。
【００１５】
通知情報１８と領収情報１９とは、例えば１２０°Ｃ程度で加熱すると消色するインキを用いて印字する。このインキとしては、組成成分として、色素、発色剤のほかに、消色剤を添加し、加熱によって色素と発色剤の結合を切断する一方、発色剤と消色剤を結合して、色の消去状態を保持するものである。これら組成成分としては例えば、前記色素としてロイコ色素を、発色剤として没食子酸プロピルを、消色剤としてコール酸を、それぞれ用いることができる。
【００１６】
中紙片５が葉書本体となるもので、図２に示すように、その裏面側の折り用ミシン目３に沿った端部には「郵便はがき」という葉書表示２０をあらかじめ印刷するとともに、剥離端となる前記折り用ミシン目３端部側に、矢印と「ここからゆっくりはがして下さい」という文からなる剥離開始端指示表示２１をあらかじめ印刷している。
【００１７】
次に、上述のように構成した図１及び図２に示す連続状態にある口座振替通知葉書用紙１から、図４に示す口座振替通知葉書３１を作成する方法を説明する。まず、口座振替通知葉書用紙１を連続方向に移送しながら、ジグザグ状に三つ折りする際、圧を加えて接着する強接着可能な感圧性接着剤２３（図３参照）を、右紙片６表面側における切り用ミシン目７側の側端部のＡ１部分（図１参照）に、線状に塗布する。なお、このＡ１部分と重なり合うべき中紙片５の表面側の折り用ミシン目２に沿った側端部のＡ２部分（図１参照）に感圧性接着剤２３を塗布してもよい。この強接着可能な感圧性接着剤２３としては、例えば、一旦接着すると接着面を損傷しなければ剥離困難な一般的な感圧性接着剤を使用する。
【００１８】
上述の三つ折りは、各重ね合わせ面が対接するように、口座振替通知葉書用紙１を各折り用ミシン目２，３でジグザグに三つ折りするもので、図３に示すように、宛名情報１３と差出人情報１７及び葉書表示２０を表出する一方、案内情報１４，１５、通知情報１８、領収情報１９を隠蔽して外部からは視認不能な状態とする。
【００１９】
口座振替通知葉書用紙１の移送は、トラクタ装置（図示せず）により移送孔８を利用して、いわゆる片送りで行われるもので、折り重ね動作が終了して不要になった移送孔８を設けたマージナル部９は、スリッタ（図示せず）によって、折り用ミシン目２の外側にある切り用ミシン目７（図３に示すＰ２の位置）で切断除去される。
【００２０】
続いて、三つ折りした連続状態にある口座振替通知葉書用紙１を、各切り用ミシン目１１において切断して単位用紙１０とし、さらに、各感圧性接着剤１２，２３の接着条件である所定の圧を付与し、重ね合わせ面を感圧性接着剤２３の塗布部分は接着面を損傷しなければ剥離困難に、他の部分は剥離可能に接着する。
【００２１】
次いで、折り用ミシン目３の内側（図３に示すＰ１の位置）をスリットし、折り用ミシン目３部分を除去する。これによって、図４に示す口座振替通知葉書３１が作成される。
【００２２】
このようにして作成した図４に示す口座振替通知葉書３１は、一般の葉書と同様に投函可能である。そして、この口座振替通知葉書３１を受領した宛名情報１３として表示された宛名人は、剥離開始端指示表示１６，２１にしたがい、左紙片４と中紙片５及び中紙片５と右紙片６とを順次相対的に引き離すと、これら各紙片４，５，６の重ね合わせ接着面が剥離し、隠蔽されていた各案内情報１４，１５、通知情報１８、領収情報１９が露出して視認可能な状態となる。
【００２３】
この時、図３で理解できるように、左紙片４と中紙片５の剥離開始端と反対側の側端部は折り用ミシン目で連接し、また、中紙片５と右紙片６の剥離開始端と反対側の側端部は感圧性接着剤２３によって強接着しているので、これら三紙片４，５，６は分離することなく、図５に示すように、冊子状に見開くことが可能である。
【００２４】
次に、他人には知られたくない情報である通知情報１８と領収情報１９を消去するには、見開き状態にある左紙片４と中紙片５の重ね合わせ面を１２０°Ｃ程度で加熱すればよく、例えば、１２０°Ｃ程度のアイロンを掛けて加熱することができる。この加熱によって、図６に示すように、色素と発色剤の結合を切断して色を消去する一方、発色剤と消色剤を結合して、この消去状態を保持するものである。
【００２５】
なお、本発明は上述した実施形態に限定されるものではなく、例えば、ジグザグ状の三つ折りで三紙片の大きさが等しい場合には、マージナル部９を両側に設けてもよい。また、隠蔽情報所持体である口座振替通知葉書３１は、三つ折りに限らず、二つ折りして作成する構成でもよい。さらに、剥離可能に接着するための感圧性接着剤１２は、口座振替通知葉書用紙１の表裏全面に設けずに、重ね合わせ面にのみ設けてもよく、この場合には重ね合わせ面の双方に限らず、いずれか一方のみに設けてもよい。さらにまた、隠蔽情報１８，１９をを表示した重ね合わせ面の見開き状態は、冊子状になされるほか、１枚の紙片状に展開されるものであってもよい。またさらに、本発明を口座振替通知葉書３１以外にも、隠蔽情報を表示した重ね合わせ面を持つ各種隠蔽情報所持体に適用できることはいうまでもない。
【００２６】
【発明の効果】
以上説明したところで明らかなように、本発明によれば、隠蔽情報所持体に表示した隠蔽情報を、加熱するだけで簡単に消去できるので、自己が視認した後の隠蔽情報を他人に知られることなく隠蔽情報所持体を廃棄できるという効果を奏する。
【図面の簡単な説明】
【図１】連続状態にある口座振替通知葉書用紙の表面側の概略的な平面図。
【図２】同じく裏面側の概略的な平面図。
【図３】同じく重ね合わせ状態の概略的な断面図。
【図４】作成した口座振替通知葉書の宛名面側の概略的な斜視図。
【図５】重ね合わせ面を剥離した口座振替通知葉書の概略的な斜視図。
【図６】重ね合わせ面に表示した隠蔽情報である通知情報と領収情報を消去した見開き状態の口座振替通知葉書の概略的な平面図。
【符号の説明】
１      口座振替通知葉書用紙
２，３      折り用ミシン目
４      左紙片
５      中紙片
６      右紙片
８      移送孔
９      マージナル部
１０      単位用紙
１２      感圧性接着剤
１３      宛名情報
１４      案内情報
１６      剥離開始端指示表示
１７      差出人情報
１８      通知情報
１９      領収情報
２３      感圧性接着剤
３１      口座通知葉書
【図１】
2004284212.tif 000003
【図２】
2004284212.tif 000004
【図３】
2004284212.tif 000005
【図４】
2004284212.tif 000006
【図５】
2004284212.tif 000007
【図６】
2004284212.tif 000008